【手続補正書】
【提出日】平成30年8月23日(2018.8.23)
【手続補正１】
【補正対象書類名】明細書
【補正対象項目名】発明の名称
【補正方法】変更
【補正の内容】
【発明の名称】積層電極体の製造方法、積層電極体及び電池
【手続補正２】
【補正対象書類名】明細書
【補正対象項目名】０００１
【補正方法】変更
【補正の内容】
【０００１】
この発明は、正極シート、セパレータ層及び負極シートを幾重かに積層してなる積層電極体の製造方法、積層電極体及び電池に関する。
【手続補正３】
【補正対象書類名】明細書
【補正対象項目名】０００５
【補正方法】変更
【補正の内容】
【０００５】
この発明は、上記事情に鑑みてなされたものであって、その目的は、正極シートと負極シートを間にセパレータ層を介在させながら効率良く積層することを可能とし、積層電極体の製造時間を短縮することを可能とした積層電極体の製造方法、積層電極体及び電池を提供することにある。
【手続補正４】
【補正対象書類名】明細書
【補正対象項目名】０００６
【補正方法】変更
【補正の内容】
【０００６】
上記目的を達成するために、請求項１に記載の発明は、矩形状で、一辺に正極側の露出部を有する複数の正極シートと、矩形状で、一辺に負極側の露出部を有する複数の負極シートとが、矩形状で、前記正極シート及び前記負極シートの少なくとも一方の電極表面に予め一体化されたセパレータ層を介して、交互に積層された積層電極体の製造方法であって、正極帯状シート及び負極帯状シートの少なくとも一方の電極表面にセパレータ層を形成した前記正極帯状シート及び前記負極帯状シートのうち、前記正極帯状シート又は前記負極帯状シートを裁断する第１の裁断工程と、裁断された正極シート又は負極シートを未裁断の前記負極帯状シート又は前記正極帯状シート上に前記セパレータ層を介在させて重ねて配置する工程と、未裁断の前記負極帯状シート又は前記正極帯状シートをそれに重ねて配置された前記正極シート又は前記負極シートの裁断隙間にて裁断することにより、重ねて配置された一対の前記正極シートと前記負極シートとを含むシートユニットを得る第２の裁断工程と、前記シートユニットを複数組積層しプレスすることにより積層電極体を得るプレス工程とを備えることを趣旨とする。
【手続補正５】
【補正対象書類名】明細書
【補正対象項目名】０００７
【補正方法】変更
【補正の内容】
【０００７】
上記発明の構成によれば、セパレータ層形成工程により、正極帯状シート及び負極帯状シートの少なくとも一方とセパレータ層とが予め一体化されることから、正極シートと負極シートを積層するときに、正極シート及び負極シートとセパレータ層との位置合わせが不要になる。
さらに請求項２に記載の発明は、請求項１に記載の積層電極体の製造方法であって、前記第１の裁断工程は、前記正極帯状シートまたは前記負極帯状シートに生じさせた、送り方向への引っ張り力を作用させながら裁断を行い、裁断面に生じるバリを前記送り方向に引き伸ばされた形態とすることを趣旨とする。
さらに請求項３に記載の発明は、請求項２に記載の積層電極体の製造方法であって、前記配置する工程は、裁断された前記正極シート又は前記負極シートを未裁断の前記負極帯状シート又は前記正極帯状シート上に前記セパレータ層を介在させて重ねて配置し、クランプローラにより送り出しながら間欠的にクランプするクランプ工程であり、前記第１の裁断工程の裁断を、前記クランプ工程での、前記クランプローラによる、前記正極帯状シートまたは前記負極帯状シートの間欠的なクランプのタイミングに同期して実施することを趣旨とする。
【手続補正６】
【補正対象書類名】明細書
【補正対象項目名】０００８
【補正方法】変更
【補正の内容】
【０００８】
上記目的を達成するために、請求項４に記載の発明は、請求項３に記載の積層電極体の製造方法であって、前記第１の裁断工程は、前記クランプローラに向けて、前記正極帯状シートまたは前記負極帯状シートを送り出す送りローラによる第１の送り速度をＶ１とし、前記クランプローラによる第２の送り速度をＶ２としたとき、Ｖ１＜Ｖ２として、前記送りローラと前記クランプローラとの間で、前記正極帯状シートまたは前記負極帯状シートに前記送り方向への引っ張り力を生じさせることを趣旨とする。
【手続補正７】
【補正対象書類名】明細書
【補正対象項目名】０００９
【補正方法】変更
【補正の内容】
【０００９】
上記発明の構成によれば、請求項４に記載の発明の作用に加え、送りローラによる第１の送り速度Ｖ１とクランプローラによる第２の送り速度Ｖ２との速度差により、正極帯状シートまたは負極帯状シートに送り方向への引っ張り力が作用して裁断が行われる。
【手続補正８】
【補正対象書類名】明細書
【補正対象項目名】００１０
【補正方法】変更
【補正の内容】
【００１０】
さらに請求項５に記載の発明は、請求項４に記載の積層電極体の製造方法であって、前記第２の裁断工程で得た前記シートユニットにおける、前記負極シートと前記正極シートの位置を検査する工程をさらに備え、前記第１の裁断工程は、得られた位置データに基づき、正極帯状シートについて、前記送り方向と直交する方向の基準値からのずれを前記正極帯状シートの繰り出し位置決めにフィードバック制御すると共に、前記送り方向の基準値からのずれを、正極帯状シートの縦位置決めと前記第１の送り速度Ｖ１と前記第２の送り速度Ｖ２の速度差にフィードバック制御することを趣旨とする。
さらに請求項６に記載の発明は、請求項１〜請求項５のいずれか１項に記載の積層電極体の製造方法であって、前記プレス工程に先立ち、このプレス工程に用いる前記シートユニットを、収容ラックの、手前よりも奥側が低位とされた傾いた棚の上に、順に積層して収容する積層工程と、を備えることを趣旨とする。
さらに請求項７に記載の発明は、請求項１〜請求項６のいずれか１項に記載の積層電極体の製造方法であって、前記第２の裁断工程で得た前記シートユニットにおける、前記負極シートと前記正極シートの位置を検査し、当該シートユニットの当該負極シートと当該正極シートの前記位置の良否を判定する工程と、を備えることを趣旨とする。
さらに請求項７に記載の発明は、請求項１〜請求項６のいずれか１項に記載の積層電極体の製造方法であって、前記第２の裁断工程で得た前記シートユニットにおける、前記負極シートと前記正極シートの位置を検査し、当該シートユニットの当該負極シートと当該正極シートの前記位置の良否を判定する工程と、を備えることを趣旨とする。
さらに請求項８に記載の発明は、請求項１〜請求項７のいずれか１項に記載の積層電極体の製造方法であって、前記第２の裁断工程で得た前記シートユニットの前記負極シートと前記正極シートとの絶縁を検査し、当該シートユニットの絶縁の良否を判定する工程と、を備えることを趣旨とする。
さらに請求項９に記載の発明は、請求項７または請求項８に記載の積層電極体の製造方法であって、不良と判定された前記シートユニットを、前記プレス工程に用いる前記シートユニットに含めない分別工程と、を備えることを趣旨とする。
さらに請求項１０に記載の発明は、請求項１〜請求項９のいずれか１項に記載の積層電極体の製造方法であって、前記プレスで得た前記積層電極体の外形寸法を検査し、当該記積層電極体の当該外形寸法の良否を判定する工程と、を備えることを趣旨とする。
さらに請求項１１に記載の発明は、請求項１〜請求項１０のいずれか１項に記載の積層電極体の製造方法であって、前記プレスで得た前記積層電極体の絶縁を検査し、当該積層電極体の絶縁の良否を判定する工程と、を備えることを趣旨とする。
【手続補正９】
【補正対象書類名】明細書
【補正対象項目名】００１１
【補正方法】変更
【補正の内容】
【００１１】
また、請求項１２に記載の発明は、矩形状で、一辺に正極側の露出部を有する複数の正極シートと、矩形状で、一辺に負極側の露出部を有する複数の負極シートとが、矩形状で、前記正極シート及び前記負極シートの少なくとも一方の電極表面に予め一体化されたセパレータ層を介して、交互に積層された積層電極体であることを趣旨とする。
さらに請求項１３に記載の発明は、請求項１２に記載の積層電極体であって、一対の前記正極シートと前記負極シートとが、上記正極シート及び上記負極シートの少なくとも一方の電極表面に予め一体化されたセパレータ層を介して積層されたシートユニットを、複数組有し、上記複数組のシートユニットが積層されたことを趣旨とする。
さらに請求項１４に記載の発明は、請求項１２または請求項１３に記載の積層電極体であって、前記正極シートの前記正極側の露出部に直交する二辺間の長さ（Ｌ２）が、前記負極シートの前記負極側の露出部に直交する二辺間の長さ（Ｌ１＋Ｌ２）よりも小さく、前記セパレータ層の前記正極側の露出部に直交する二辺間の長さは、前記正極シートの前記二辺間の長さ（Ｌ２）または前記負極シートの前記二辺間の長さ（Ｌ１＋Ｌ２）に等しく、積層方向に見たとき、前記正極シートの前記正極側の露出部に直交する二辺が、前記負極シートの前記負極側の露出部に直交する二辺の内側に位置する形態に配置されていることを趣旨とする。
さらに請求項１５に記載の発明は、請求項１４に記載の積層電極体であって、前記正極シートのうち、前記正極側の露出部に直交する二辺をなす裁断面に生じているバリが、外側に向けて伸ばされた形態を有することを趣旨とする。
さらに請求項１６に記載の発明は、電池ケース内に、請求項１２〜請求項１５のいずれか１項に記載の積層電極体が収容された電池であることを趣旨とする。
【手続補正１０】
【補正対象書類名】明細書
【補正対象項目名】００１３
【補正方法】変更
【補正の内容】
【００１３】
請求項２に記載の発明によれば、請求項１に記載の発明の効果に加え、正極帯状シートまたは負極帯状シートの裁断面では、その厚さ方向におけるバリの発生を抑えることができる。
【手続補正１１】
【補正対象書類名】明細書
【補正対象項目名】００１４
【補正方法】削除
【補正の内容】
【手続補正１２】
【補正対象書類名】明細書
【補正対象項目名】００５７
【補正方法】変更
【補正の内容】
【００５７】
図１４に、裁断深さ比（Ｄ／Ｔ）と送り速度比（Ｖ２／Ｖ１）に対する、正極帯状シート２の裁断の良否の関係をグラフにより示す。このグラフから、裁断深さ比（Ｄ／Ｔ）が「０.５〜０.９」、送り速度比（Ｖ２／Ｖ１）が「１.０１〜１.２５」となる領域で、裁断が良好となることがわかる。
【手続補正１３】
【補正対象書類名】明細書
【補正対象項目名】００５８
【補正方法】変更
【補正の内容】
【００５８】
この実施形態では、クランプローラ２５の回転時に、一方のローラ２５Ａの切欠き２５ａによりクランプローラ２５を一時的にアンクランプな状態とすることにより、第１の送り速度Ｖ１と第２の送り速度Ｖ２との速度差（Ｖ２−Ｖ１）を吸収するので、その速度差（Ｖ２−Ｖ１）が正極帯状シート２の送りや裁断に悪影響を与えることがない。このため、正極帯状シート２の送りや裁断につき、速度差（Ｖ２−Ｖ１）に起因する不具合、例えば、正極シート２Ａにおける皺の発生等を抑えることができる。
【手続補正１４】
【補正対象書類名】特許請求の範囲
【補正対象項目名】全文
【補正方法】変更
【補正の内容】
【特許請求の範囲】
【請求項１】
矩形状で、一辺に正極側の露出部を有する複数の正極シートと、
矩形状で、一辺に負極側の露出部を有する複数の負極シートとが、
矩形状で、前記正極シート及び前記負極シートの少なくとも一方の電極表面に予め一体化されたセパレータ層を介して、交互に積層された
積層電極体の製造方法であって、
正極帯状シート及び負極帯状シートの少なくとも一方の電極表面にセパレータ層を形成した前記正極帯状シート及び前記負極帯状シートのうち、前記正極帯状シート又は前記負極帯状シートを裁断する第１の裁断工程と、
裁断された正極シート又は負極シートを未裁断の前記負極帯状シート又は前記正極帯状シート上に前記セパレータ層を介在させて重ねて配置する工程と、
未裁断の前記負極帯状シート又は前記正極帯状シートをそれに重ねて配置された前記正極シート又は前記負極シートの裁断隙間にて裁断することにより、重ねて配置された一対の前記正極シートと前記負極シートとを含むシートユニットを得る第２の裁断工程と、
前記シートユニットを複数組積層しプレスすることにより積層電極体を得るプレス工程と、を備える
積層電極体の製造方法。
【請求項２】
請求項１に記載の積層電極体の製造方法であって、
前記第１の裁断工程は、
前記正極帯状シートまたは前記負極帯状シートに生じさせた、送り方向への引っ張り力を作用させながら裁断を行い、
裁断面に生じるバリを前記送り方向に引き伸ばされた形態とする
積層電極体の製造方法。
【請求項３】
請求項２に記載の積層電極体の製造方法であって、
前記配置する工程は、
裁断された前記正極シート又は前記負極シートを未裁断の前記負極帯状シート又は前記正極帯状シート上に前記セパレータ層を介在させて重ねて配置し、クランプローラにより送り出しながら間欠的にクランプするクランプ工程であり、  
前記第１の裁断工程の裁断を、
前記クランプ工程での、前記クランプローラによる、前記正極帯状シートまたは前記負極帯状シートの間欠的なクランプのタイミングに同期して実施する
積層電極体の製造方法。
【請求項４】
請求項３に記載の積層電極体の製造方法であって、
前記第１の裁断工程は、
前記クランプローラに向けて、前記正極帯状シートまたは前記負極帯状シートを送り出す送りローラによる第１の送り速度をＶ１とし、
前記クランプローラによる第２の送り速度をＶ２としたとき、
Ｖ１＜Ｖ２として、
前記送りローラと前記クランプローラとの間で、前記正極帯状シートまたは前記負極帯状シートに前記送り方向への引っ張り力を生じさせる
積層電極体の製造方法。
【請求項５】
請求項４に記載の積層電極体の製造方法であって、
前記第２の裁断工程で得た前記シートユニットにおける、前記負極シートと前記正極シートの位置を検査する工程をさらに備え、
前記第１の裁断工程は、
得られた位置データに基づき、正極帯状シートについて、
前記送り方向と直交する方向の基準値からのずれを前記正極帯状シートの繰り出し位置決めにフィードバック制御すると共に、
前記送り方向の基準値からのずれを、正極帯状シートの縦位置決めと前記第１の送り速度Ｖ１と前記第２の送り速度Ｖ２の速度差にフィードバック制御する
積層電極体の製造方法。
【請求項６】
請求項１〜請求項５のいずれか１項に記載の積層電極体の製造方法であって、
前記プレス工程に先立ち、このプレス工程に用いる前記シートユニットを、収容ラックの、手前よりも奥側が低位とされた傾いた棚の上に、順に積層して収容する積層工程と、を備える
積層電極体の製造方法。
【請求項７】
請求項１〜請求項６のいずれか１項に記載の積層電極体の製造方法であって、
前記第２の裁断工程で得た前記シートユニットにおける、前記負極シートと前記正極シートの位置を検査し、当該シートユニットの当該負極シートと当該正極シートの前記位置の良否を判定する工程と、を備える
積層電極体の製造方法。
【請求項８】
請求項１〜請求項７のいずれか１項に記載の積層電極体の製造方法であって、
前記第２の裁断工程で得た前記シートユニットの前記負極シートと前記正極シートとの絶縁を検査し、当該シートユニットの絶縁の良否を判定する工程と、を備える
積層電極体の製造方法。
【請求項９】
請求項７または請求項８に記載の積層電極体の製造方法であって、
不良と判定された前記シートユニットを、前記プレス工程に用いる前記シートユニットに含めない分別工程と、を備える
積層電極体の製造方法。
【請求項１０】
請求項１〜請求項９のいずれか１項に記載の積層電極体の製造方法であって、
前記プレスで得た前記積層電極体の外形寸法を検査し、当該記積層電極体の当該外形寸法の良否を判定する工程と、を備える
積層電極体の製造方法。
【請求項１１】
請求項１〜請求項１０のいずれか１項に記載の積層電極体の製造方法であって、
前記プレスで得た前記積層電極体の絶縁を検査し、当該積層電極体の絶縁の良否を判定する工程と、を備える
積層電極体の製造方法。
【請求項１２】
矩形状で、一辺に正極側の露出部を有する複数の正極シートと、
矩形状で、一辺に負極側の露出部を有する複数の負極シートとが、
矩形状で、前記正極シート及び前記負極シートの少なくとも一方の電極表面に予め一体化されたセパレータ層を介して、交互に積層された
積層電極体。
【請求項１３】
請求項１２に記載の積層電極体であって、
一対の前記正極シートと前記負極シートとが、上記正極シート及び上記負極シートの少なくとも一方の電極表面に予め一体化されたセパレータ層を介して積層されたシートユニットを、複数組有し、
上記複数組のシートユニットが積層された
積層電極体。
【請求項１４】
請求項１２または請求項１３に記載の積層電極体であって、
前記正極シートの前記正極側の露出部に直交する二辺間の長さ（Ｌ２）が、
前記負極シートの前記負極側の露出部に直交する二辺間の長さ（Ｌ１＋Ｌ２）よりも小さく、
前記セパレータ層の前記正極側の露出部に直交する二辺間の長さは、前記正極シートの前記二辺間の長さ（Ｌ２）または前記負極シートの前記二辺間の長さ（Ｌ１＋Ｌ２）に等しく、
積層方向に見たとき、
前記正極シートの前記正極側の露出部に直交する二辺が、前記負極シートの前記負極側の露出部に直交する二辺の内側に位置する形態に配置されている
積層電極体。
【請求項１５】
請求項１４に記載の積層電極体であって、
前記正極シートのうち、前記正極側の露出部に直交する二辺をなす裁断面に生じているバリが、外側に向けて伸ばされた形態を有する
積層電極体。
【請求項１６】
電池ケース内に、請求項１２〜請求項１５のいずれか１項に記載の積層電極体が収容された
電池。